(57)【特許請求の範囲】
【請求項１】
デジタルテレビ放送受信装置において、
プログラムデータが格納されている電気的に書換え可能な不揮発性メモリとは別に、ＢＭＬ(Broadcast Markup Language)によって記述された操作ガイドデータを格納するための、電気的に書換え可能な不揮発性メモリによって構成された第１の操作ガイドデータ格納部および第２の操作ガイドデータ格納部と、
ＢＭＬによって記述された操作ガイドデータを処理し、ブラウジングするためのブラウジング処理手段と、
ブラウジングされた操作ガイドを受像機に表示するための表示手段と、
デジタル放送を受信するための第１のチューナおよび前記第１のチューナが使用されている場合に操作ガイドを受信するための第２のチューナとを具備し、
第２のチューナで受信したデジタル放送のダウンロードサービスによる操作ガイドデータで前記第２の操作ガイドデータ格納部の操作ガイドデータを書換え、書き換えた第２の操作ガイドデータ格納部の操作ガイドデータを前記第１の操作ガイドデータ格納部にコピーすることを特徴とするガイド機能付きデジタルテレビ受信装置。
【請求項２】
請求項１に記載のガイド機能付きデジタルテレビ受信装置において、
メモリカードとのインタフェースを行うメモリカードインタフェース手段を具備し、
前記メモリカードに格納されている操作ガイドデータで前記第２の操作ガイドデータ格納部に格納されている操作ガイドデータを書換えることを特徴とするガイド機能付きデジタルテレビ受信装置。
【発明の詳細な説明】
【０００１】
【発明の属する技術分野】
本発明は、各種操作方法などのガイドを表示することができるようにした、ガイド機能付きデジタル放送受信装置に関する。
【０００２】
【従来の技術】
操作ガイド機能付きのテレビ受信機に関しては、次のような従来技術がある。
【０００３】
特開平８−６５５８７号公報に記載のガイド機能付きテレビ受信機においては、リモコンに操作キーがある機能に対しては、リモコンのガイドキーが押された直後の、リモコンの知りたい操作キー（リモコンにおけるユーザーがその機能を知りたい操作キー）の押下に対応したガイド表示を行うようにしている。また、リモコンにキーの無い機能を操作するためのメニュー表示のガイドに対しては、メニューの中の知りたい機能が選択された状態で、リモコンのガイドキーを押下することで、ガイド表示を行うようにしている。
【０００４】
また、特開平１０−５１７０８号公報に記載のオンスクリーン表示装置には、設定操作内容に該当する取説書のページをメニュー表示画面に表示可能にすることにより、機器設定における操作性を向上させる技術が示されている。
【０００５】
【発明が解決しようとする課題】
しかしながら、上述の特開平８−６５５８７号公報に記載の手法では、操作説明が固定であり、操作説明自体を変更することが困難であり、また、説明画面が多くなると、画面データが非常に多くなるという問題を有している。
【０００６】
また、上述の特開平１０−５１７０８号公報に記載の技術のように、取説書のページをメニュー表示画面に表示する手法では、取説書を一緒に読まないと操作することが困難であるという問題を有している。
【０００７】
本発明は、そのような状況に鑑みてなされたもので、その目的とするところは、ブラウザ画面に表示させることにより、操作ガイドを自由な形態で表示できるようにし、また、画面データとしてでなく、マークアップ記述言語（ＢＭＬ（Broadcast Markup Language）などのマークアップ言語）として操作ガイドデータを保持することにより、操作ガイドデータのデータ量を少なくできるようにし、さらに、放送波によるダウンロードやメモリカードにより、受信機自体の機能追加やメニューの変更などをした際にも、変更内容に追従して操作ガイドデータの変更・追加を行うことができ、また、操作ガイドデータ自体に誤りなどがあった場合などは、操作ガイドデータのみの追加・変更を可能とすることにある。
【０００８】
【課題を解決するための手段】
上述した目的を達成するため、本発明によるガイド機能付きデジタルテレビ受信装置の代表的な発明では、プログラムデータが格納されている電気的に書換え可能な不揮発性メモリとは別に、ＢＭＬ(Broadcast Markup Language)によって記述された操作ガイドデータを格納するための、電気的に書換え可能な不揮発性メモリによって構成された第１の操作ガイドデータ格納部および第２の操作ガイドデータ格納部と、ＢＭＬによって記述された操作ガイドデータを処理し、ブラウジングするためのブラウジング処理手段と、ブラウジングされた操作ガイドを受像機に表示するための表示手段と、デジタル放送を受信するための第１のチューナおよび前記第１のチューナが使用されている場合に操作ガイドを受信するための第２のチューナとを具備し、第２のチューナで受信したデジタル放送のダウンロードサービスによる操作ガイドデータで前記第２の操作ガイドデータ格納部の操作ガイドデータを書換え、書き換えた第２の操作ガイドデータ格納部の操作ガイドデータを前記第１の操作ガイドデータ格納部にコピーする。
【０００９】
かような構成をとると、ＢＭＬなどのマークアップ言語で操作ガイドを作成でき、操作ガイドデータのみの変更・追加を行うことが可能となり、また、画像データで操作ガイドデータを保持する場合よりもそのデータ量を少なくでき、さらに、ブラウザ画面に表示させることにより、操作ガイドをカスタマイズして自由な形態で表示することが可能となる。
【００１０】
なお、上記以外の本発明の特徴的な構成やその作用効果は、以下の説明から明らかとなる。
【００１１】
【発明の実施の形態】
以下、本発明の実施の形態を、図面を用いて説明する。
【００１２】
図１は、本発明の一実施形態に係るガイド機能付きデジタルテレビ受信装置の構成を示すブロック図である。図１において、１はデジタル放送を受信するためのアンテナ、２はデジタル放送用のメインチューナー／ＩＦ回路、３はデジタル放送用のサブチューナー／ＩＦ回路、４は受信したデジタル放送のＴＳ（Transport Stream）をデコードするＴＳデコーダ、５はＣＰＵ（Central Processing Unit）、６はアドレス管理やチップセレクトなどを行うアドレスデコーダ、７は、電気的に書換え可能な不揮発性メモリからなり、操作ガイドデータ格納部「１」７ａおよび操作ガイドデータ格納部「２」７ｂを含んで構成されるガイドデータ格納部、８は外部メモリカードとのインタフェースを行うメモリカードＩＦ部、９はメモリカードＩＦ部８を通じて内部データの書換えなどに利用するメモリカード（ＰＣカード、スマートメディア、メモリースティックなどのメモリーカード）、１０はＡＶ（Audio・Video）デコーダ、１１はＲＡＭ（Random Access Memory）、１２は、電気的に書換え可能な不揮発性メモリからなる、デジタルテレビ受信装置のプログラムデータの格納部、１３は、電気的に書換え可能な不揮発性メモリからなり、ユーザーの設定データなどを保存しておくユーザーデータ格納部、１４は操作ガイドやメニューなどをグラフィックとして描画、表示するグラフィック描画・表示部、１５はＢＭＬ（Broadcast Markup Language）などのマークアップ記述言語で記述された操作ガイドデータなどをブラウジングするためのブラウジング処理部、１６はＡＶ出力するためのＡＶ出力変換部、１７はリモコンマイコン、１８はリモコン信号受信部である。
【００１３】
上記の操作ガイドデータ格納部「１」７ａと操作ガイドデータ格納部「２」７ｂとには、同一の操作ガイドデータが格納されるようになっており、これにより磁気ディスクシステムのミラーリングと同様の効果を持たせると共に、操作ガイドデータの書換え・変更時の操作性の向上を図れるようにしてある。ここでは、操作ガイドデータ格納部「２」７ｂに対して操作ガイドデータの書換え・変更が行われ、操作ガイドデータ格納部「２」７ｂの書換え・変更されたデータが、操作ガイドデータ格納部「１」７ａにコピーされるようになっている。
【００１４】
図１に示す構成において、いま、ユーザーによるガイド画面の表示指示が図示せぬリモコンから到来すると、このガイド表示の指示要求は、リモコン信号受信部１８、リモコンマイコン１７を介して、ＣＰＵ５に伝えられる。これにより、ＣＰＵ５は、ガイドデータ格納部「１」７ａにある操作ガイドデータを読み出して、ユーザーデータ格納部１３に格納されている、テレビ画面と操作ガイドの表示領域の指定や操作ガイドの文字の大きさなどの、ユーザー毎にカスタマイズされた設定情報をもとにして、ブラウジング処理部１５にてガイド画面データを生成させ、これをグラフィック描画・表示部１４でグラフィック化してビデオデータに重畳させ、これをＡＶ出力変換部１６で出力変換して、テレビ画面上へ表示させる。
【００１５】
ここで、操作ガイドデータ格納部「１」７ａおよび操作ガイドデータ格納部「２」７ｂに格納されている操作ガイドデータは、例えば、ＸＭＬ（eXtensible Markup Language）ベースのデータ放送向けのページ記述言語であるＢＭＬで記述されているので、画面のどこに何を表示するかという提示の制御や、タイトルや本文などを示す構造の表現や、操作ボタンなどのユーザーインターフェースなどを容易に規定することができる。したがって、これらユーザーの好みに応じたカスタマイズされた設定情報を予めユーザーデータ格納部１３に格納しておくことによって、ブラウジング処理部１５により、ユーザー毎にカスタマイズされたガイド画面を生成して、ユーザーの好みに応じた形態で表示させることができる。また、操作ガイドデータをＢＭＬで記述して保持しているので、画像データで操作ガイドデータを保持する場合よりも、そのデータ量を少なくすることが可能となる。なお、ユーザー毎のカスタマイズ化を容易にするために、本実施形態では、後述するように、ガイド画面の表示形態を設定するための操作ガイド設定画面が、ユーザーによる適宜のリモコン操作でテレビ画面に呼び出し可能になっている。
【００１６】
メモリカードにより操作ガイドデータを変更する場合は、操作ガイドデータが格納されているメモリカード９をメモリカードＩＦ部８に装着して、メモリカード９内の操作ガイドデータを操作ガイドデータ格納部「２」７ｂに書き込んで、操作ガイドデータの書換えを行う。この際、プログラムデータ格納部１２とガイドデータ格納部７が別れているため、メモリカード９の装着を検出し、データ内容に応じてデータの格納先を判別して、自動的に操作ガイドデータの書換えを行うことにより、視聴を妨げずに操作ガイドデータの書換えが行えるようになっている。
【００１７】
また、放送波によるダウンロードにより操作ガイドデータを変更する場合は、エンジニアリングスロットを利用したダウンロードサービスにより操作ガイドデータを受信し、操作ガイドデータ格納部「２」７ｂに保存されている操作ガイドデータの変更を行う。この際のダウンロードを、メインチューナ２ではなく、サブチューナー３で行うようになっており、これにより、視聴を妨げずに操作ガイドデータの書換えが行えるようになっている。
【００１８】
ここで、上記メモリカードによる方法と放送波によるダウンロードによる方法の双方において、操作ガイドデータが２つ格納されているため、操作ガイドデータの書換え時に操作ガイドデータ格納部「１」７ａの操作ガイドデータを使用することにより、操作ガイドデータの変更も、操作ガイドを見ながら行えるようになっている。さらに、操作ガイドデータ書換え後の操作ガイド終了時に、操作ガイドデータ格納部「２」７ｂに格納された新しい操作ガイドデータを、操作ガイドデータ格納部「１」７ａにコピーすることにより、常に操作ガイドデータを２重に持たせるようになっており、これにより、必ず、操作ガイドを見ながらの操作ガイドデータの書換えを実現できるようにしている。
【００１９】
また、操作ガイドデータのみの書換えではなく、操作ガイドデータとプログラムデータの格納部が分かれているため、メモリカードや放送波によるプログラムデータのダウンロードによって、データ内容に応じデータの格納先を自動的に判別し、かつ、操作ガイドを見ながら、プログラムデータの書換えを行えるようになっている。あるいは、メモリカードや放送波によるプログラムデータと操作ガイドデータのダウンロードによって、データ内容に応じデータの格納先を自動的に判別し、かつ、操作ガイドを見ながら、プログラムデータと操作ガイドデータの書換えを同時に、または個別に行えるようにもなっている。
【００２０】
図２は、本実施形態のガイド機能付きデジタルテレビ受信装置における、ガイド画面とテレビ画面の同時表示の例を示す図である。図２の（ａ）は、テレビ画面とガイド画面を均等に２分割して表示した場合の表示例であり、図２の（ｂ）は、ガイド画面のみを表示した場合の表示例であり、図２の（ｃ）は、全面表示されたガイド画面にテレビ画面を子画面表示した場合の表示例であり、図２の（ｄ）は、全画面表示されたテレビ画面にガイド画面を子画面表示した場合の表示例である。それぞれの表示の形態は、ユーザーの嗜好に合わせてユーザーが選択できたり、または、ガイド内容、あるいは表示する媒体（ブラウン管／液晶／プラズマディスプレイなど）や表示する表示装置の大きさなどによって、自動的に選択したりすることも可能となっている。
【００２１】
図３は、本実施形態のガイド機能付きデジタルテレビ受信装置における、操作ガイド設定画面の１例を示す図である。この図３のような操作ガイド設定画面と対話式に、例えば図２で説明したガイド画面とテレビ画面の表示の仕方の設定や、操作ガイドで使用する文字の大きさの指定、操作ガイドで表示する操作ガイド内容の詳細度の設定、操作ガイドの書換えを自動的に行うかの設定などが、行えるようになっている。
【００２２】
【発明の効果】
上記にて説明された本発明により、以下の効果がもたらされる。
【００２３】
本願請求項１に記載の発明に係るガイド機能付きデジタルテレビ受信装置は、上述したような構成としているので、ＢＭＬなどのマークアップ言語で記述された操作ガイドデータに基づき、ユーザーの好みに応じた操作ガイド画面を容易に作成でき、また、操作ガイドデータのみの変更・追加を行うことも容易に可能となる。また、操作ガイドデータをＢＭＬなどのマークアップ言語で記述して保持しているので、画像データで操作ガイドデータを保持する場合よりも、そのデータ量を少なくすることが可能となる。
【００２４】
本願請求項２に記載の発明に係るガイド機能付きデジタルテレビ受信装置は、上述したような構成としているので、デジタル放送によるダウンロードサービスにより、操作ガイドデータの変更・追加を行うことが可能となる。
【００２５】
本願請求項３に記載の発明に係るガイド機能付きデジタルテレビ受信装置は、上述したような構成としているので、メモリカードにより操作ガイドデータの変更・追加を行うことが可能となる。
【００２６】
本願請求項４に記載の発明に係るガイド機能付きデジタルテレビ受信装置は、上述したような構成としているので、テレビ視聴中でもサブチューナーにより操作ガイドデータをダウンロードして、ユーザーの視聴を妨げずに操作ガイドデータの変更・追加を行うことが可能となる。
【００２７】
本願請求項５に記載の発明に係るガイド機能付きデジタルテレビ受信装置は、上述したような構成としているので、ブラウザ表示する際にユーザーの嗜好にあったように、テレビ画面と操作ガイド画面を自由にカスタマイズして表示することが可能となる。
【００２８】
本願請求項６に記載の発明に係るガイド機能付きデジタルテレビ受信装置は、上述したような構成としているので、プログラムデータと操作ガイドデータを同時に変更・追加することが可能となると共に、プログラムデータだけや操作ガイドデータだけの変更・追加が可能となる。
【００２９】
本願請求項７に記載の発明に係るガイド機能付きデジタルテレビ受信装置は、上述したような構成としているので、操作ガイドを見ながらでも操作ガイドデータの変更・追加を行うことが可能となる。
【００３０】
本願請求項８に記載の発明に係るガイド機能付きデジタルテレビ受信装置は、上述したような構成としているので、操作ガイドを見ながら本体のプログラムデータの変更・追加を行うことが可能となる。
【００３１】
本願請求項９に記載の発明に係るガイド機能付きデジタルテレビ受信装置は、上述したような構成としているので、操作ガイド画面の文字の大きさや文字の種類などをユーザーの嗜好に合わせてカスタマイズできたり、表示する媒体（ブラウン管／液晶／プラズマディスプレイなど）や表示する表示装置の大きさによって自動的にまたはユーザーの嗜好通りにカスタマイズすることが可能となる。
【図面の簡単な説明】
【図１】本発明の一実施形態に係るガイド機能付きデジタルテレビ受信装置の構成を示す機能ブロック図である。
【図２】本発明の一実施形態に係るガイド機能付きデジタルテレビ受信装置における、ガイド画面とテレビ画面の同時表示の例を示す説明図である。
【図３】本発明の一実施形態に係るガイド機能付きデジタルテレビ受信装置における、操作ガイド設定画面の１例を示す説明図である。
【符号の説明】
１  アンテナ
２  メインチューナー／ＩＦ回路
３  サブチューナー／ＩＦ回路
４  ＴＳデコーダ
５  ＣＰＵ
６  アドレスデコーダ
７  ガイドデータ格納部
７ａ  操作ガイドデータ格納部「１」
７ｂ  操作ガイドデータ格納部「２」
８  メモリカードＩＦ部
９  メモリカード
１０  ＡＶデコーダ
１１  ＲＡＭ
１２  プログラムデータの格納部
１３  ユーザーデータ格納部
１４  グラフィック描画・表示部、
１５  ブラウジング処理部
１６  ＡＶ出力変換部
１７  リモコンマイコン
１８  リモコン信号受信部
【図１】
0004136431.tif 000002
【図２】
0004136431.tif 000003
【図３】
0004136431.tif 000004